(57)【要約】【課題】上面が平坦面でかつファスナーによる開閉を可能とする新規な直方体状合成樹脂製袋の提供を図る。【解決手段】底面側から商品収容が行われるような形態を備えた直方体状容体部１の天板部１ａに、当該天板部１ａの横中心線で仕切られる一方の折半部周縁に開閉用立上り部２を連設する。  当該立上り部２は天板部１ａから一体に延長して形成した内面側立ち上がり部２ａと、容体部１から一体に延長して形成した外面側立ち上がり部２ｂとを重ね合わせると共に、当該両立上り部２ａ，２ｂの重ね合わせ端縁は密封縁Ａとする。  更に、当該両立上り部２ａ，２ｂの基端部寄りに雌雄のファスナー３を形成すると共に、その上部に切裂き用ミシン孔４を形成する。  当該ファスナー３における天板部１ａの隅角部と合致する部分に、溶着等に基づく強化密着部３ａ，３ａを形成する。【選択図】      図１
2004352296.tif 000002
【特許請求の範囲】
【請求項１】
底面側から商品収容が行われるような形態を備えた直方体状容体部（１）の天板部（１ａ）に、当該天板部（１ａ）の横中心線で仕切られる一方の折半部周縁に開閉用立上り部（２）を連設し、当該立上り部（２）は天板部（１ａ）から一体に延長して形成した内面側立ち上がり部（２ａ）と、容体部（１）から一体に延長して形成した外面側立ち上がり部（２ｂ）とを重ね合わせると共に、当該両立上り部（２ａ，２ｂ）の重ね合わせ端縁は密封縁（Ａ）とし、更に、当該両立上り部（２ａ，２ｂ）の基端部寄りに雌雄のファスナー（３）を形成すると共に、その上部に切裂き用ミシン孔（４）を形成したことを特徴とする直方体状合成樹脂製袋。
【請求項２】
ファスナー（３）における天板部（１ａ）の両隅角部と合致する部分に、強化密着部（３ａ，３ａ）を形成し、当該部分を直角に折曲げた際の直方体状容体部（１）の対応隅角部形成上の目安と安定が図られるように構成した請求項１に記載の直方体状合成樹脂製袋。
【請求項３】
ファスナー（３）の局部的溶着に基づき強化密着部（３ａ，３ａ）を形成するようにした請求項２に記載の直方体状合成樹脂製袋。
【発明の詳細な説明】
【０００１】
【発明の属する技術分野】
本発明は、例えば紙おむつ等の商品をパッケージしておくための直方体状合成樹脂製袋に関する。
【０００２】
【従来の技術】
従来、例えば紙おむつのような商品をパッケージしておくための直方体状合成樹脂製の袋は、図５に示すように、その上面の横中心線上に封緘部を形成したものであった。  従って、袋の開封は、袋全体を切離して開くもの（例えば特許文献１参照。）、袋の一部を切り開くもの（例えば特許文献１参照。）がある。
【０００３】
【特許文献１】
実用新案登録第３０４４７３５号
【特許文献１】
実用新案登録第３０４５０２６号
【０００４】
【発明が解決しようとする課題】
上記したような従来のパッケージであると、収容商品の取り出しは、袋自体を切り開いてしまうため、例えば商品を一つだけ取り出した後、これを前通り閉めておくことが出来ないため、その保管上の密閉が不能化する、というような問題が生じた。
【０００５】
更に、図５に示すような従来の直方体状合成樹脂製袋であると、その上面は山形状を呈するため、商品として一番目に止まる部分である上面部分に商品広告等の表示を施す上で、著しい制約性が生じることを余儀なくされた。
【０００６】
本発明は、このような従来の問題を解決した新規の合成樹脂製袋と言う技術の提供を図ったものである。
【０００７】
【課題を解決するための手段】
本発明は、底面側から商品収容が行われるような形態を備えた直方体状容体部１の天板部１ａに、当該天板部１ａの横中心線で仕切られる一方の折半部周縁に開閉用立上り部２を連設する。  当該立上り部２は、天板部１ａから一体に延長して形成した内面側立ち上がり部２ａと、容体部１から一体に延長して形成した外面側立ち上がり部２ｂとを重ね合わせると共に、当該両立上り部２ａ，２ｂの重ね合わせ端縁は密封縁Ａとする。  そして、当該両立上り部２ａ，２ｂの基端部寄りに雌雄のファスナー３を形成すると共に、その上部に切裂き用ミシン孔４を形成する。
本発明はこのような構成を備えたことを特徴とする直方体状合成樹脂製袋に係るものである。
【０００８】
また、上記したファスナー３における天板部１ａの両隅角部と合致する部分に、局部的溶着等に基づく強化密着部３ａ，３ａを形成することにより、当該部分を直角に折曲げた際の直方体状容体部１の対応隅角部形成上の目安と安定が図られるように構成する。
【０００９】
本発明は、上記のような構成に基づき、従来の問題を解決したものである。
【００１０】
【作用】
本発明に係る直方体状合成樹脂製袋は、商品収容は直方体容体部１の底面側から行い、当該底面を密閉した状態で販売用として陳列する。  購入者はミシン孔４を切り裂くことにより、ファスナー３による開口が果たされる。  収容商品を例えば一つ取り出した後は、当該ファスナー３を閉めることにより、収容商品に対する再度の密封が図られる。
【００１１】
【発明の実施の形態】
図１及び図２は商品を入れた状態、すなわち、立体化された状態にある本発明に係る直方体状合成樹脂製袋を表したものである。  同図において、１は直方体状容体部であって、当該容体部１は商品収容をその底面側から行うと共に、当該収容後は、下縁部分を折り返す等なして密閉するような形態を具えたものである。なお、図１及び図２はこのような密閉を施す前の状態を表してある。
【００１２】
１ａは上記した直方体状容体部１の天板部、２は該天板部の横中心線で仕切られる一方の折半部周縁に連設した開閉用立上り部であつて、天板部１ａから一体に延長して形成した内面側立ち上がり部２ａと、容体部１から一体に延長して形成した外面側立ち上がり部２ｂとを重ね合わせて構成したものである。  そして、内外両立上り部２ａ，２ｂの重ね合わせ端縁は密封縁Ａとしてある。
【００１３】
３は雌雄のファスナーであって、内外両立上り部２ａ，２ｂの基端部寄りに形成してある。  ４は当該ファスナー３のやや上方に形成したミシン孔であって、当該ミシン孔４に沿って切り裂くことによって、上記した密封縁Ａが切除され、容体部１に対するファスナー３を介しての開閉が許容化されるように構成してある。
【００１４】
上記したファスナー３は、天板部１ａの両隅角部と合致する部分に、局部的溶着等に基づく強化密着部３ａ，３ａを形成することにより、当該部分を直角に折曲げた際の直方体状容体部１の対応隅角部形成上の目安と安定が図られるように構成してある。
【００１５】
図３及び図４は本発明に係る直方体状合成樹脂製袋の扁平状態を表したものである。  本発明はこのような状態において、所要の商品を収容することにより、図１及び図２に示すような直方体状合成樹脂製袋に転化させる。
【００１６】
図３及び図４において、天板部１ａは内部に折り込まれた状態となっており、これを図１に示すように平面化することによって形成される三角マチ部１ｂは、図１に示すように側面側に折り込まれる。  そして、この時ファスナー３に形成した強化密着部３ａ，３ａの存在は、拡開しての立体化時において、直方体状容体部１の隅角部形成上の目安と、当該拡開状態での安定化が図られる。
【００１７】
なお、ファスナー３の開閉範囲は、強化密着部３ａ，３ａ  間に限定されることとなる。  従って、ファスナー３における当該強化密着部３ａ，３ａの外側部分は、開閉作用は司らずに直方体状容体部１の上端安定作用を奏するための使命を担うこととなる。  従って、図示のような形態としたのは製造上の合理性を図ったためであり、当該部分はファスナーの延長ではなく他の安定補強手段に代えても良い。
【００１８】
【発明の効果】
本発明は請求項１に記載のような構成、すなわち、底面側から商品収容が行われるような形態を備えた直方体状容体部１の天板部１ａに、当該天板部１ａの横中心線で仕切られる一方の折半部周縁に開閉用立上り部２を連設し、当該立上り部２は天板部１ａから一体に延長して形成した内面側立ち上がり部２ａと、容体部１から一体に延長して形成した外面側立ち上がり部２ｂとを重ね合わせると共に、当該両立上り部２ａ，２ｂの重ね合わせ端縁は密封縁Ａとし、更に、当該両立上り部２ａ，２ｂの基端部寄りに雌雄のファスナー３を形成すると共に、その上部に切裂き用ミシン孔４を形成したから、ミシン孔４に沿って切り裂くことにより、ファスナー３の開閉に基づく収容商品の取り出しと、取り出し後の再度の密封目的が果たされる。
従って、パッケージを完全に切り開いて収容商品を取り出すような形態の従来品において生じた、例えば商品を一つだけ取り出した後、これを前通り閉めておくことが出来ないため、その保管上の密閉が不能化すると言うような問題は、本発明にあっては全く解消される。
【００１９】
更に、従来の直方体状合成樹脂製袋であると、その上面は山形状を呈するため、商品として一番目に止まる部分である上面部分に商品広告等の表示を施す上での著しい制約性が生じることを余儀なくされたが、本発明にあっては上面は平坦な天板部１ａとするため、当該表示上の制約性はなく、商品に最適とする表示を極めて目立つ状態で施すことを可能とする。
【００２０】
本発明は請求項２に記載のような構成、すなわち、ファスナー３における天板部１ａの両隅角部と合致する部分に、強化密着部３ａ，３ａを形成するように構成したから、当該部分を直角に折曲げた際の直方体状容体部１の対応隅角部形成上の目安と安定が図られ、正確なる直方体を形成することができる。
更に、ファスナー３のこのような強化密着部３ａ，３ａに依る両端寄り部分の開閉規制に基づき、ファスナーの開閉は収容商品の取り出しに見合った分に制限されるため、その開閉が必要以上に行われることがない。  従って、開閉の容易性及び迅速性が図られることとなる。
【図面の簡単な説明】
【図１】本発明の立体化状態を表した斜視図である。
【図２】図１におけるＸ−Ｘ線断面図である。
【図３】本発明の扁平状態を表した正面図である。
【図４】図３におけるＹ−Ｙ線断面図である。
【図５】従来のパッケージを表した一部切欠斜視図である。
【符号の説明】
１  直方体状容体部
１ａ  天板部
１ｂ  三角マチ部
２  開閉用立上り部
２ａ  内面側立ち上がり部
２ｂ  外面側立ち上がり部
Ａ  密封縁
３  雌雄のファスナー
３ａ  強化密着部
４  ミシン孔
【図１】
2004352296.tif 000003
【図２】
2004352296.tif 000004
【図３】
2004352296.tif 000005
【図４】
2004352296.tif 000006
【図５】
2004352296.tif 000007